【手続補正書】
【提出日】平成18年3月15日(2006.3.15)
【手続補正１】
【補正対象書類名】明細書
【補正対象項目名】発明の名称
【補正方法】変更
【補正の内容】
【発明の名称】表示装置
【手続補正２】
【補正対象書類名】明細書
【補正対象項目名】特許請求の範囲
【補正方法】変更
【補正の内容】
【特許請求の範囲】
【請求項１】
複数のドレイン電極とゲート電極、および液晶層の対向側にあるコモン電極のそれぞれに対し、所定の電圧を印加して表示を実現するアクティブマトリクス型液晶パネルと、
前記アクティブマトリクス型液晶パネルに対し、該ゲート電極へ走査ラインを示すゲートパルスを線順次に印加する液晶駆動回路とを備えた表示装置において、
該液晶駆動回路は、第１の走査ラインのゲート電極へ出力する第１のゲートパルスのパルス幅と、第２の走査ラインのゲート電極へ出力する第２のゲートパルスのパルス幅との間に、間隔を設けた表示装置。
【請求項２】
複数のドレイン電極とゲート電極、および液晶層の対向側にあるコモン電極のそれぞれに対し、所定の電圧を印加して表示を実現するアクティブマトリクス型液晶パネルと、
前記アクティブマトリクス型液晶パネルに対し、該ゲート電極へ走査ラインを示すゲートパルスを線順次に印加する液晶駆動回路とを備えた表示装置において、
該液晶駆動回路は、全てのゲート電極にゲートパルスを出力しないノンオーバラップ期間を、１走査期間毎に設けている表示装置。
【請求項３】
請求項２の表示装置において、
前記ノンオーバラップ期間は、外部から入力される信号で規定される表示装置。
【請求項４】
請求項３の表示装置において、
外部から入力される信号は、１走査期間を規定する基準クロックの、クロック数に関する情報を含む表示装置。
【請求項５】
複数のドレイン電極とゲート電極、および液晶層の対向側にあるコモン電極のそれぞれに対し、所定の電圧を印加して表示を実現するアクティブマトリクス型液晶パネルと、
前記アクティブマトリクス型液晶パネルに対し、該ゲート電極へ走査ラインを示すゲートパルスを線順次に印加する液晶駆動回路とを備えた表示装置において、
該液晶駆動回路は、非表示領域部のゲート電極へ印加するゲートパルスの周波数が、表示領域部のゲート電極へ印加するゲートパルスの周波数よりも低い表示装置。
【請求項６】
請求項５の表示装置において、
前記表示領域と非表示領域、およびゲートパルスの周波数は、外部から入力される信号で規定される表示装置。
【請求項７】
複数の第１の線と、前記複数の第１の線と交差する複数の第２の線と、マトリックス状に配置された複数の画素であって各画素が前記第１の線及び前記第２の線に接続された複数の画素を有する表示パネルと、
表示データに応じた階調電圧を前記第１の線へ印加するための第１のドライバと、
前記画素のラインを選択する場合に選択電圧を前記第２の線へ印加し、前記画素のラインを非選択する場合に非選択電圧を前記第２の線へ印加するための第２のドライバとを備えた表示装置において、
前記第２のドライバは、前記選択電圧を、前記第２の線の１本毎に順次印加し、
前記第２のドライバは、前記選択電圧を、１フレーム期間内に、前記第２の線の１本あたり１回づつ印加し、
前記第２のドライバは、１水平走査期間の第１の期間に前記選択電圧を前記第２の線の１本に印加し、同一の前記１水平走査期間の第２の期間に前記非選択電圧を同一の前記第２の線の１本に印加し、
前記第２のドライバは、（ｎ−１）番目の水平走査期間に（ｎ−１）番目の第２の線への前記選択電圧の印加が終了してからｎ番目の水平走査期間にｎ番目の第２の線への前記選択電圧の印加が開始するまでの間に、前記非選択電圧を、前記（ｎ−１）番目の第２の線と前記ｎ番目の第２の線の両方へ印加する表示装置。
【請求項８】
請求項７の表示装置において、
前記（ｎ−１）番目の水平走査期間に前記（ｎ−１）番目の第２の線への前記選択電圧の印加が終了してから前記ｎ番目の水平走査期間に前記ｎ番目の第２の線への前記選択電圧の印加が開始するまでの間を設定するためのレジスタを備える表示装置。
【請求項９】
請求項７の表示装置において、
前記（ｎ−１）番目の水平走査期間に前記（ｎ−１）番目の第２の線への前記選択電圧の印加が終了してから前記ｎ番目の水平走査期間に前記ｎ番目の第２の線への前記選択電圧の印加が開始するまでの間を、前記表示装置の外部から設定するためのレジスタを備える表示装置。
【請求項１０】
請求項７の表示装置において、
前記第２のドライバは、前記（ｎ−１）番目の水平走査期間に前記（ｎ−１）番目の第２の線への前記選択電圧の印加が終了してから前記ｎ番目の水平走査期間に前記ｎ番目の第２の線への前記選択電圧の印加が開始するまでの間に、前記非選択電圧を全ての第２の線に印加する表示装置。
【請求項１１】
請求項７の表示装置において、
前記（ｎ−１）番目の水平走査期間に前記（ｎ−１）番目の第２の線への前記選択電圧の印加が終了してから前記ｎ番目の水平走査期間に前記ｎ番目の第２の線への前記選択電圧の印加が開始するまでの間は、基準クロックのＮ個分である表示装置。
【請求項１２】
請求項７の表示装置において、
前記画素は、画素電極と、前記画素電極と前記第１の線と前記ｎ番目の第２の線とに接続されたスイッチと、前記（ｎ−１）番目のゲート線と前記画素電極の間に接続されたＣaddを有する表示装置。
【請求項１３】
請求項７の表示装置において、
前記１水平走査期間は、前記第１の期間と前記第２の期間からなる表示装置。
【請求項１４】
請求項７の表示装置は、
前記１水平走査期間は、前記第１のドライバが前記階調電圧を前記第１の線へ印加する期間である表示装置。
【請求項１５】
複数の第１の線と、前記複数の第１の線と交差する複数の第２の線と、マトリックス状に配置された複数の画素であって各画素が前記第１の線及び前記第２の線に接続された複数の画素を有する表示パネルと、
表示データに応じた階調電圧を前記第１の線へ印加するための第１のドライバと、
前記画素のラインを選択する場合に選択電圧を前記第２の線へ印加し、前記画素のラインを非選択する場合に非選択電圧を前記第２の線へ印加するための第２のドライバとを備えた表示装置において、
前記第２のドライバは、前記選択電圧を、前記第２の線の１本毎に順次印加し、
前記第２のドライバは、前記選択電圧を、１フレーム期間内に、前記第２の線の１本あたり１回づつ印加し、
前記第２のドライバは、１水平走査期間のうち前記選択電圧を前記第２の線の１本に印加する第１の期間以外の第２の期間であって、前記第１の期間の片側に隣接する第２の期間に、前記非選択電圧を同一の前記第２の線の１本に印加し、
前記第２のドライバは、（ｎ−１）番目の水平走査期間に（ｎ−１）番目の第２の線への前記選択電圧の印加が終了してからｎ番目の水平走査期間にｎ番目の第２の線への前記選択電圧の印加が開始するまでの間に、前記非選択電圧を、前記（ｎ−１）番目の第２の線と前記ｎ番目の第２の線の両方へ印加する表示装置。
【請求項１６】
請求項１５の表示装置において、
前記（ｎ−１）番目の水平走査期間に前記（ｎ−１）番目の第２の線への前記選択電圧の印加が終了してから前記ｎ番目の水平走査期間に前記ｎ番目の第２の線への前記選択電圧の印加が開始するまでの間を設定するためのレジスタを備える表示装置。
【請求項１７】
請求項１５の表示装置において、
前記（ｎ−１）番目の水平走査期間に前記（ｎ−１）番目の第２の線への前記選択電圧の印加が終了してから前記ｎ番目の水平走査期間に前記ｎ番目の第２の線への前記選択電圧の印加が開始するまでの間を、前記表示装置の外部から設定するためのレジスタを備える表示装置。
【請求項１８】
請求項１５の表示装置において、
前記第２のドライバは、前記（ｎ−１）番目の水平走査期間に前記（ｎ−１）番目の第２の線への前記選択電圧の印加が終了してから前記ｎ番目の水平走査期間に前記ｎ番目の第２の線への前記選択電圧の印加が開始するまでの間に、前記非選択電圧を全ての第２の線に印加する表示装置。
【請求項１９】
請求項１５の表示装置において、
前記（ｎ−１）番目の水平走査期間に前記（ｎ−１）番目の第２の線への前記選択電圧の印加が終了してから前記ｎ番目の水平走査期間に前記ｎ番目の第２の線への前記選択電圧の印加が開始するまでの間は、基準クロックのＮ個分である表示装置。
【請求項２０】
請求項１５の表示装置において、
前記画素は、画素電極と、前記画素電極と前記第１の線と前記ｎ番目の第２の線とに接続されたスイッチと、前記（ｎ−１）番目のゲート線と前記画素電極の間に接続されたＣaddを有する表示装置。
【請求項２１】
請求項１５の表示装置において、
前記１水平走査期間は、前記第１のドライバが前記階調電圧を前記第１の線へ印加する機関である表示装置。
【請求項２２】
複数の第１の線と、前記複数の第１の線と交差する複数の第２の線と、マトリックス状に配置された複数の画素であって各画素が前記第１の線及び前記第２の線に接続された複数の画素を有する表示パネルと、
表示データに応じた階調電圧を前記第１の線へ印加するための第１のドライバと、
水平走査周期を持つ第１のパルス信号に従って、前記第２の線を１本毎に順次走査するための第２のドライバとを備えた表示装置において、
前記第２のドライバは、フレーム周期を持つ第２のパルス信号のレベルが第１のレベルである場合に選択電圧を前記第２の線へ印加し、前記第２のパルス信号のレベルが第２のレベル場合に非選択電圧を前記第２の線へ印加し、
前記第２のドライバは、前記第１のパルス信号に従って、１フレーム期間内に、前記第２の線の１本あたり１回づつ走査し、
前記第２のパルス信号のレベルが前記第１のレベルである期間は、１水平走査期間よりも短く、
前記第２のドライバは、１水平走査期間のうち前記第２のパルス信号が前記第１のレベルである期間に前記選択電圧を前記第２の線の１本に印加し、同一の前記１水平走査期間のうち前記第２のパルス信号が前記第２のレベルである期間に前記非選択電圧を同一の前記第２の線の１本に印加し、
前記第２のパルス信号のレベルは、（ｎ−１）番目の水平走査期間に（ｎ−１）番目の第２の線への前記選択電圧の印加が終了してからｎ番目の水平走査期間にｎ番目の第２の線への前記選択電圧の印加が開始するまでの間に、前記第２のレベルである表示装置。
【請求項２３】
請求項２２の表示装置において、
前記（ｎ−１）番目の水平走査期間に前記（ｎ−１）番目の第２の線への前記選択電圧の印加が終了してから前記ｎ番目の水平走査期間に前記ｎ番目の第２の線への前記選択電圧の印加が開始するまでの間を設定するためのレジスタを備える表示装置。
【請求項２４】
請求項２２の表示装置において、
前記（ｎ−１）番目の水平走査期間に前記（ｎ−１）番目の第２の線への前記選択電圧の印加が終了してから前記ｎ番目の水平走査期間に前記ｎ番目の第２の線への前記選択電圧の印加が開始するまでの間を、前記表示装置の外部から設定するためのレジスタを備える表示装置。
【請求項２５】
請求項２２の表示装置において、
前記（ｎ−１）番目の水平走査期間に前記（ｎ−１）番目の第２の線への前記選択電圧の印加が終了してから前記ｎ番目の水平走査期間に前記ｎ番目の第２の線への前記選択電圧の印加が開始するまでの間は、基準クロックのＮ個分である表示装置。
【請求項２６】
請求項２２の表示装置において、
前記画素は、画素電極と、前記画素電極と前記第１の線と前記ｎ番目の第２の線とに接続されたスイッチと、前記（ｎ−１）番目のゲート線と前記画素電極の間に接続されたＣaddを有する表示装置。
【請求項２７】
請求項２２の表示装置において、
前記１水平走査期間は、前記第１のドライバが前記階調電圧を前記第１の線へ印加する機関である表示装置。